(57)【特許請求の範囲】
【請求項１】
入力ミッションを支承する機枠で砕土体を支持するとともに砕土体後方に延設する回動自在の整地板を有する代掻整地装置において、
入力ミッション後方に、第１ピンを支点に前後に揺動自在に設けられた操作レバーと、操作レバーにより前後に揺動自在な連結バーと、上端を連結バーと連結し下部に係合凹部と係合凸部を形成し連結バーにより第２ピンを支点として前後に揺動自在であるとともに支持材の外方に設けたコイルバネによって弾着され前後の位置に圧着安定される係合板と、係合板の係合凹部に係合可能な係合ピンを先端に設け後端を補助ロッドに連結し第３ピンを支点として揺動自在である揺動リンクと、上端を揺動リンクの後端と回動自在に取付けられ下端を整地板の上面に取付けられる補助ロッドとから成り、
操作レバーを中間に位置させて、揺動リンクの係合ピンを係合板の係合凹部と係合凸部との中途位置で揺動自在なフリーにし、整地板を泥土面に沿って均平化代掻作業を行うことが可能であり、
操作レバーを後方に移動させて上方に起し、揺動リンクの係合ピンを、係合板の係合凹部へ貫入させて、揺動リンクをロックし、整地板を固定させて泥土の移送作業をさせ、水田の凸部の泥土を凹部に移送する作業を行うことが可能であり、
操作レバーを前方に移動させ、揺動リンクの係合ピンを係合板の係合凸部によって押し下げて補助ロッドを上昇させることにより整地板の地上高を高め整地板をリフトした状態で固定させ、圃場間の移動を行うことが可能であることを特徴とする代掻整地装置。
【発明の詳細な説明】
【０００１】
【産業上の利用分野】
本発明は機枠で砕土体を支持するとともに砕土体後方に延設する回動自在の整地板を有する代掻整地装置の固定切換操作の改良に関する。
【０００２】
【従来の技術】
従来、この種の代掻整地装置固定切換操作としては、実公昭６３−１２６４４号が提案されている。この従来の代掻整地装置の構成は、「機枠で砕土体を支持するとともに砕土体後方に延設する回動自在の整地板を有する代掻整地装置において、機枠に回動自在に連結する中間リンク及び整地板に連結する補助ロッドと、補助ロッドに一端を連結し前後方向に摺動自在の作動杆と、機枠上部で機枠を挟持して突設する支持板と、支持板間に軸支するとともに作動杆が貫通する摺動駒と、作動杆の端部外周に形成するストップ材と支持板に軸支する断面略Ｌ字型の係合金とからなり、係合金のＬ字の長辺はストップ材下面から作動杆頭部までの長さより長く、作動杆の前後方向への摺動可能距離は係合金のＬ字の長辺より長いことを特徴とする代掻整地装置。」である。
【０００３】
【発明が解決しようとする課題】
従来公知の構成では、「機枠に回動自在に連結する中間リンク及び整地板に連結する補助ロッドと、補助ロッドに一端を連結し前後方向に摺動自在の作動杆と機枠上部で機枠を挟持して突設する支持板と、支持板間に軸支するとともに作動杆が貫通する摺動駒と、」と有しており、複雑で大掛かりな整地板の固定切換装置となっている。従って、長時間の使用においてはガタツキも増長して動作も緩慢になる欠点があった。
【０００４】
【課題を解決するための手段】
前記した問題を解決するために、
入力ミッションを支承する機枠で砕土体を支持するとともに砕土体後方に延設する回動自在の整地板を有する代掻整地装置において、
入力ミッション後方に、第１ピンを支点に前後に揺動自在に設けられた操作レバーと、操作レバーにより前後に揺動自在な連結バーと、上端を連結バーと連結し下部に係合凹部と係合凸部を形成し連結バーにより第２ピンを支点として前後に揺動自在であるとともに支持材の外方に設けたコイルバネによって弾着され前後の位置に圧着安定される係合板と、係合板の係合凹部に係合可能な係合ピンを先端に設け後端を補助ロッドに連結し第３ピンを支点として揺動自在である揺動リンクと、上端を揺動リンクの後端と回動自在に取付けられ下端を整地板の上面に取付けられる補助ロッドとから成り、
操作レバーを中間に位置させて、揺動リンクの係合ピンを係合板の係合凹部と係合凸部との中途位置で揺動自在なフリーにし、整地板を泥土面に沿って均平化代掻作業を行うことが可能であり、
操作レバーを後方に移動させて上方に起し、揺動リンクの係合ピンを、係合板の係合凹部へ貫入させて、揺動リンクをロックし、整地板を固定させて泥土の移送作業をさせ、水田の凸部の泥土を凹部に移送する作業を行うことが可能であり、
操作レバーを前方に移動させ、揺動リンクの係合ピンを係合板の係合凸部によって押し下げて補助ロッドを上昇させることにより整地板の地上高を高め整地板をリフトした状態で固定させ、圃場間の移動を行うことが可能であることを特徴とする代掻整地装置を提案する。
【０００５】
【作用】
通常の作業時は操作レバーを中間に位置させて揺動リンクの係合ピンを係合凸部と係合凹部との中途位置でフリーにすると整地板は泥土面に沿って均平化作業をする。水田の凸部の泥土を凹部に移送する時は、操作レバーを上方に起して係合板の係合凹部へ貫入させると揺動リンクはロックされて整地板は固定されて泥土の移送に適する。又、圃場間の移動時においては整地板の地上高を高めるために係合板の係合凸部によって揺動リンクの係合ピンを押し下げると補助ロッドを上昇させて整地板はリフトした状態で固定される。
【０００６】
【実施例】
本発明を実施した図面に基づいて構成を説明する。図１、図２、図３は本発明を実施した側面断面図であり、図１は整地板を固定した状態図、図２は整地板がフリーな状態の側面断面図、図３は整地板が持ち上げられた状態の側面断面図である。図４、図５は要部の平面図で、図５は特に平面断面図である。図６は係合板の説明図を示したものである。
【０００７】
図１の２は入力ミッションを示し、前方に入力軸３を有して、左右にパイプフレーム１を配置して機枠を兼用し、左右端で砕土体６を回動可能に支承している。砕土体６は主軸５の周囲に適宜に砕土爪７を装着して構成される。４はカバーで砕土体６の上部を被覆してなる。
【０００８】
１２は支持材で、機枠を兼用する入力ミッション２の上部に設けられて、チャンネルを逆さ状に取り付けて、整地板８の固定切換装置２５を内装している。操作レバー１３は第１ピン１８によって前後に揺動自在に設けられ１４の連結バーを前後に移動させる。
【０００９】
１５は係合板で第２ピン１９を支点とした前後に揺動自在で、支持材１２の外方に設けたコイルバネ１１によって弾着され、第２ピン１９を支点越えとして前後の位置に圧着安定される。この係合板１５は下部に係合部を形成して上端は前記連結バー１４の後方と連結される。
【００１０】
１６は揺動リンクで第３ピン２０を支点として揺動自在に設け、先端には前記した係合板１５に係合するように、係合ピン２１を突出して設け、後端は補助ロッド１７に連結される。
【００１１】
８は整地板で、中途に稲わら等の埋沈用タインを突出させ、下端にゴム板１０を装備してなる。２２は横ピンを示し、整地板８をカバー４の後部に回動自在に取り付けるものである。整地板８の中央上面に補助ロッド１７を設け、補助ロッド１７の上端は前記した揺動リンク１６の後端と回動自在に取り付けられている。
【００１２】
図６の係合板１５について詳説すると第２ピン１９を支点として１４の連結バーによって前後に回動する係合板１５の下部には２３の係合凸部、２４の係合凹部を形成してなる。図６の状態では揺動リンク１６の先端の係合ピン２１が係合板１５の凹部に貫入しており、揺動リンク１６は固定状態を示しており、整地板８は固定されている。
【００１３】
図２は揺動リンク１６の係合ピン２１が係合板１５の係合凸部２３と係合凹部２４との中途位置で揺動自在であり、代掻作業に適する状態である。
【００１４】
図３は揺動リンク１６の係合ピン２１が係合板１５の係合凸部２３に押し下げられて補助ロッド１７を吊り上げて、整地板８を高い位置に固定するので地上高が有利になる。
【００１５】
図４は要部の平面図で、固定切換装置２５は支持部材１２に被覆されている。図５は支持部材１２を断面とした説明図である。
【００１６】
【発明の効果】
以上のような構成にしたので、シンプルな構成で小型に製作でき、長時間の使用においても正確な動作をする等の実益がある。
【図面の簡単な説明】
【図１】  本発明を実施した側面断面図で整地板を固定した状態図
【図２】  整地板がフリーな状態の側面断面図
【図３】  整地板が持ち上げられた状態の側面断面図
【図４】  要部の平面図
【図５】  要部の平面説明図
【図６】  係合板の説明図
【符号の説明】
１  パイプフレーム
２  入力ミッション
３  入力軸
４  カバー
５  主軸
６  砕土体
７  砕土爪
８  整地板
９  タイン
１０  ゴム板
１１  コイルバネ
１２  支持材
１３  操作レバー
１４  連結バー
１５  係合板
１６  揺動リンク
１７  補助ロッド
１８  第１ピン
１９  第２ピン
２０  第３ピン
２１  係合ピン
２２  横ピン
２３  係合凸部
２４  係合凹部
２５  固定切換装置
【図１】
0003658475.tif 000002
【図２】
0003658475.tif 000003
【図３】
0003658475.tif 000004
【図４】
0003658475.tif 000005
【図５】
0003658475.tif 000006
【図６】
0003658475.tif 000007